(57)【要約】【課題】胴回り開口部の広げやすさを維持しつつ、吸収性本体の位置ずれを抑制できる吸収性物品を提供すること。【解決手段】吸収性本体（１０）、第１胴回り部（２０）、及び、第２胴回り部（３０）を有する吸収性物品であって、第１胴回り部（２０）は左右方向に伸縮する伸縮性シート（２４）と非伸縮性シート（２１，２２）を有し、伸縮性シート（２４）の下端部では、伸縮性シート（２４）が上方向に折り返されており、伸縮性シート（２４）の下端部では、上端部に比べて、伸縮性シート（２４）の積層枚数が多いこと。【選択図】図５
2019118580.tif 000002
【特許請求の範囲】
【請求項１】
上下方向、及び、左右方向を有し、
吸収性本体、第１胴回り部、及び、第２胴回り部を有する吸収性物品であって、
前記第１胴回り部は、前記左右方向に伸縮する伸縮性シートと、前記伸縮性シートに積層された非伸縮性シートと、を有し、
前記伸縮性シートの下端部では、前記伸縮性シートが上方向に折り返されており、
前記伸縮性シートの前記下端部では、上端部に比べて、前記伸縮性シートの積層枚数が多いことを特徴とする吸収性物品。
【請求項２】
請求項１に記載の吸収性物品であって、
前記伸縮性シートの下端部において前記伸縮性シートが折り返されている部位は、前記上下方向において、前記吸収性本体と重複していないことを特徴とする吸収性物品。
【請求項３】
請求項１に記載の吸収性物品であって、
前記第１胴回り部の厚さ方向において、前記伸縮性シートは前記吸収性本体よりも非肌側に位置し、
前記伸縮性シートの下端部において前記伸縮性シートが折り返されている部位は、前記上下方向において、前記吸収性本体と重複していることを特徴とする吸収性物品。
【請求項４】
請求項１に記載の吸収性物品であって、
前記第１胴回り部の厚さ方向において、前記伸縮性シートは前記吸収性本体よりも肌側に位置し、
前記伸縮性シートの下端部において前記伸縮性シートが折り返されている部位は、前記上下方向において、前記吸収性本体と重複していることを特徴とする吸収性物品。
【請求項５】
請求項３又は４に記載の吸収性物品であって、
前記吸収性本体は、排泄液を吸収する吸収性コアを有し、
前記伸縮性シートの前記折り返されている部位は、前記上下方向において、前記吸収性コアと重複していないことを特徴とする吸収性物品。
【請求項６】
請求項３から５の何れか１項に記載の吸収性物品であって、
前記伸縮性シートの前記折り返されている部位は、前記吸収性本体の上端を前記上下方向に跨いで設けられていることを特徴とする吸収性物品。
【請求項７】
請求項３又は４に記載の吸収性物品であって、
前記吸収性本体は、排泄液を吸収する吸収性コアを有し、
前記伸縮性シートの前記折り返されている部位は、前記上下方向において、前記吸収性コアと重複していることを特徴とする吸収性物品。
【請求項８】
請求項７に記載の吸収性物品であって、
前記伸縮性シートの前記折り返されている部位は、前記吸収性コアの上端を前記上下方向に跨いで設けられていることを特徴とする吸収性物品。
【請求項９】
請求項１から８の何れか１項に記載の吸収性物品であって、
前記伸縮性シートの下端部において前記伸縮性シートが折り返されている状態で、
前記左右方向における前記第１胴回り部の両側端部と、前記左右方向における前記第２胴回り部の両側端部とが、溶着されていることを特徴とする吸収性物品。
【発明の詳細な説明】
【技術分野】
【０００１】
本発明は、吸収性物品に関する。
【背景技術】
【０００２】
吸収性物品として、パンツ型使い捨ておむつが知られている。特許文献１には、前身頃外装体と後身頃外装体の間に吸収性本体が架橋され、前身頃外装体と後身頃外装体の幅方向両側縁が互いに接合され、腰周り開口部が形成されたパンツ型使い捨ておむつが開示されている。前身頃外装体、及び、後身頃外装体では、腰周り伸縮材が、インナーシートとアウターシート（非伸縮性シート）の間に伸長状態で固定されている。
【先行技術文献】
【特許文献】
【０００３】
【特許文献１】特開２０１３−１３８７９５号
【発明の概要】
【発明が解決しようとする課題】
【０００４】
特許文献１では、腰周り伸縮材として糸状の伸縮材が例示されているが、代わりに伸縮性シートを利用することで、前身頃外装体や後身頃外装体（胴回り部）を面で着用者に密着させることができる。そのため、伸縮材の跡を残り難くすることができる。
【０００５】
また、伸縮性シートの胴回り開口部側の端部の伸縮力を適度に抑えることで、おむつ着用時に胴回り開口部を広げやすくなり、おむつを着用しやすくなる。一方で、伸縮性シートの股下側の端部の伸縮力も、胴回り開口部側に合わせて抑えてしまうと、吸収性本体が位置ずれするおそれがある。
【０００６】
本発明は、上記のような従来の問題に鑑みてなされたものであって、その目的は、胴回り開口部の広げやすさを維持しつつ、吸収性本体の位置ずれを抑制できる吸収性物品を提供することにある。
【課題を解決するための手段】
【０００７】
上記目的を達成するための主たる発明は、上下方向、及び、左右方向を有し、吸収性本体、第１胴回り部、及び、第２胴回り部を有する吸収性物品であって、前記第１胴回り部は、前記左右方向に伸縮する伸縮性シートと、前記伸縮性シートに積層された非伸縮性シートと、を有し、前記伸縮性シートの下端部では、前記伸縮性シートが上方向に折り返されており、前記伸縮性シートの前記下端部では、上端部に比べて、前記伸縮性シートの積層枚数が多いことを特徴とする吸収性物品である。
本発明の他の特徴については、本明細書及び添付図面の記載により明らかにする。
【発明の効果】
【０００８】
本発明によれば、胴回り開口部の広げやすさを維持しつつ、吸収性本体の位置ずれを抑制できる吸収性物品を提供することができる。
【図面の簡単な説明】
【０００９】
【図１】パンツ型使い捨ておむつ１（以下「おむつ」）の斜視図である。
【図２】展開かつ伸長状態のおむつ１の平面図である。
【図３】図２のＩＩ線での断面図である。
【図４】製造途中の腹側胴回り部２０の断面図である。
【図５】製品状態の腹側胴回り部２０の断面図である。
【図６】図４に示す腹側胴回り部２０の平面図である。
【図７】図７Ａ及び図７Ｂは腹側胴回り部２０の変形例の断面図である。
【図８】図８Ａ及び図８Ｂは腹側胴回り部２０の変形例の断面図である。
【図９】図９Ａ及び図９Ｂは腹側胴回り部２０の変形例の断面図である。
【図１０】図１０Ａ及び図１０Ｂは腹側胴回り部２０の変形例の断面図である。
【図１１】図１１Ａ及び図１１Ｂは腹側胴回り部２０の変形例の断面図である。
【発明を実施するための形態】
【００１０】
本明細書及び添付図面の記載により、少なくとも以下の事項が明らかとなる。  
上下方向、及び、左右方向を有し、吸収性本体、第１胴回り部、及び、第２胴回り部を有する吸収性物品であって、前記第１胴回り部は、前記左右方向に伸縮する伸縮性シートと、前記伸縮性シートに積層された非伸縮性シートと、を有し、前記伸縮性シートの下端部では、前記伸縮性シートが上方向に折り返されており、前記伸縮性シートの前記下端部では、上端部に比べて、前記伸縮性シートの積層枚数が多いことを特徴とする吸収性物品である。
【００１１】
このような吸収性物品によれば、伸縮性シートの上端部の積層枚数が少ないことで、胴回り開口部の広げやすさを維持できる。また、伸縮性シートの下端部の積層枚数が多いことで、吸収性本体の位置ずれを抑制できる。
【００１２】
かかる吸収性物品であって、前記伸縮性シートの下端部において前記伸縮性シートが折り返されている部位は、前記上下方向において、前記吸収性本体と重複していないことを特徴とする吸収性物品である。
【００１３】
このような吸収性物品によれば、伸縮性シートが折り返されている部位によって、吸収性本体に近い第１胴回り部の部位を着用者に密着させることができ、第１胴回り部の位置ずれに起因する吸収性本体の位置ずれを抑制できる。また、伸縮性シートが折り返されている部位の伸縮力が、剛性の高い吸収性本体に阻害されにくい。
【００１４】
かかる吸収性物品であって、前記第１胴回り部の厚さ方向において、前記伸縮性シートは前記吸収性本体よりも非肌側に位置し、前記伸縮性シートの下端部において前記伸縮性シートが折り返されている部位は、前記上下方向において、前記吸収性本体と重複していることを特徴とする吸収性物品である。
【００１５】
このような吸収性物品によれば、伸縮性シートが折り返されている部位によって、吸収性本体を非肌側から着用者に密着させることができ、吸収性本体の位置ずれを抑制できる。
【００１６】
かかる吸収性物品であって、前記第１胴回り部の厚さ方向において、前記伸縮性シートは前記吸収性本体よりも肌側に位置し、前記伸縮性シートの下端部において前記伸縮性シートが折り返されている部位は、前記上下方向において、前記吸収性本体と重複していることを特徴とする吸収性物品である。
【００１７】
このような吸収性物品によれば、吸収性本体の上端（エッジ）を伸縮性シートによって肌側から覆うことができ、着用者に異物感を与えにくい。
【００１８】
かかる吸収性物品であって、前記吸収性本体は、排泄液を吸収する吸収性コアを有し、前記伸縮性シートの前記折り返されている部位は、前記上下方向において、前記吸収性コアと重複していないことを特徴とする吸収性物品である。
【００１９】
このような吸収性物品によれば、伸縮性シートが折り返されている部位の伸縮力が、剛性の高い吸収性コアに阻害されにくい。そのため、吸収性本体の位置ずれを抑制できる。
【００２０】
かかる吸収性物品であって、前記伸縮性シートの前記折り返されている部位は、前記吸収性本体の上端を前記上下方向に跨いで設けられていることを特徴とする吸収性物品である。
【００２１】
このような吸収性物品によれば、吸収性本体の上端周辺の資材数を徐々に変化させることができ、着用者に異物感を与えにくい。
【００２２】
かかる吸収性物品であって、前記吸収性本体は、排泄液を吸収する吸収性コアを有し、前記伸縮性シートの前記折り返されている部位は、前記上下方向において、前記吸収性コアと重複していることを特徴とする吸収性物品である。
【００２３】
このような吸収性物品によれば、伸縮性シートが吸収性本体よりも非肌側に位置する場合には、伸縮性シートが折り返されている部位によって、吸収性コアを非肌側から着用者に密着させることができ、吸収性本体の位置ずれを抑制できる。また、伸縮性シートが吸収性本体よりも肌側に位置する場合には、吸収性コアの上端（エッジ）を伸縮性シートによって肌側から覆うことができ、着用者に異物感を与えにくい。
【００２４】
かかる吸収性物品であって、前記伸縮性シートの前記折り返されている部位は、前記吸収性コアの上端を前記上下方向に跨いで設けられていることを特徴とする吸収性物品である。
【００２５】
このような吸収性物品によれば、吸収性コアの上端周辺の資材数を徐々に変化させることができ、着用者に異物感を与えにくい。
【００２６】
かかる吸収性物品であって、前記伸縮性シートの下端部において前記伸縮性シートが折り返されている状態で、前記左右方向における前記第１胴回り部の両側端部と、前記左右方向における前記第２胴回り部の両側端部とが、溶着されていること、を特徴とする吸収性物品である。
【００２７】
このような吸収性物品によれば、伸縮性シートの下端部が折り返されている状態を維持できる。
【００２８】
＝＝＝実施形態＝＝＝
以下、本発明に係る吸収性物品として、乳幼児用のパンツ型使い捨ておむつを例に挙げて実施形態を説明する。ただし、本発明に係る吸収性物品は、乳幼児用の使い捨ておむつに限らず、大人用の使い捨ておむつや、生理用ショーツ等としても利用可能である。また、パンツ型に限らず、例えばテープ型の使い捨ておむつであってもよい。
【００２９】
＝＝＝パンツ型使い捨ておむつ１の構成＝＝＝
図１は、パンツ型使い捨ておむつ１（以下「おむつ」）の斜視図である。図２は、展開かつ伸長状態のおむつ１の平面図である。図３は、図２のＩＩ線での断面図である。
【００３０】
おむつ１は、図１に示すパンツ型状態において、上下方向、及び、左右方向を有し、胴回り開口部ＢＨ、及び、一対の脚回り開口部ＬＨが形成されている。上下方向において、胴回り開口部ＢＨ側を上側とし、股下側を下側とする。また、図３に示すように、おむつ１を構成する資材が積層された方向を厚さ方向といい、厚さ方向において着用者に接触する側を肌側といい、着用者に接触しない側を非肌側という。
【００３１】
また、おむつ１は、平面視長方形状の３部材である、吸収性本体１０、腹側胴回り部２０、及び、背側胴回り部３０を有する。腹側胴回り部２０（第１胴回り部）は着用者の腹側部に当てられ、背側胴回り部３０（第２胴回り部）は着用者の背側部に当てられる。
【００３２】
図２に示す展開状態のおむつ１において、腹側胴回り部２０及び背側胴回り部３０は、それらの長手方向がおむつ１の左右方向に沿うように配置されている。そして、左右方向における腹側胴回り部２０の中央部に、吸収性本体１０の長手方向一方側の端部が配置され、左右方向における背側胴回り部３０の中央部に、吸収性本体１０の長手方向他方側の端部が配置されている。
【００３３】
図２に示す展開状態のおむつ１において、吸収性本体１０の長手方向がおむつ１の上下方向に沿うように、吸収性本体１０が長手方向の略中央で二つ折りされ、おむつ１の左右方向における腹側胴回り部２０の両側端部と背側胴回り部３０の両側端部とが、熱溶着や超音波溶着等で接合されて、一対の接合領域２が形成されることにより、図１に示すパンツ型状態のおむつ１となる。
【００３４】
吸収性本体１０は、図３に示すように、吸収体１１と、吸収体１１よりも肌側に配置された液透過性のトップシート１２と、吸収体１１よりも非肌側に配置された液不透過性のバックシート１３と、バックシート１３よりも非肌側に配置された外装シート１４とを有する。
【００３５】
吸収体１１は、尿等の排泄液を吸収して保持する吸収性コア１１Ａと、吸収性コア１１Ａを覆う液透過性のコアラップシート１１Ｂとを有する。吸収性コア１１Ａとしては、高吸収性ポリマー（ＳＡＰ）を含むパルプ等の液体吸収性繊維が所定の形状に成形されたものを例示できる。
【００３６】
また、図２に示すように、左右方向における吸収性本体１０の両側部には、脚回り弾性部材１５が設けられており、おむつ１は着用者の脚回りにフィットする。脚回り弾性部材１５は、例えば、左右方向の内側に折り返されて２層となった外装シート１４の間において、吸収性本体１０の長手方向に伸長状態で固定されている。脚回り弾性部材１５としては、糸状弾性部材や伸縮性シートを例示できる。
【００３７】
腹側胴回り部２０及び背側胴回り部３０は、図３に示すように、それぞれ、内層シート２１，３１と、内層シート２１，３１に積層された外層シート２２，３２と、複数の糸状弾性部材２３，３３とを有する。
【００３８】
外層シート２２，３２は内層シート２１，３１よりも非肌側に配置されている。内層シート２１，３１及び外層シート２２，３２は吸収性本体１０よりも非肌側に配置されている。ただし、外層シート２２，３２の上方の端部２２１，３２１は下方向に折り返されて吸収性本体１０の長手方向の端部を肌側から覆っている。
【００３９】
内層シート２１，３１及び外層シート２２，３２単体は、おむつ１の左右方向の伸縮性を実質的に有さない非伸縮性シートである。内層シート２１，３１及び外層シート２２，３２としては、ＳＭＳ不織布（スパンボンド・メルトブローン・スパンボンド不織布）、スパンボンド不織布、エアスルー不織布、プラスチックシート、開孔プラスチックシート及びそれらのラミネートシートなどを用いることができる。
【００４０】
複数の糸状弾性部材２３，３３は、内層シート２１，３１と外層シート２２，３２の間において、上下方向に並んで配置されるとともに、左右方向に伸長状態で固定されている。よって、腹側胴回り部２０及び背側胴回り部３０は左右方向に伸縮し、着用者の胴回りにフィットする。糸状弾性部材２３，３３としては、ゴムやスパンデックス等の糸状弾性部材を例示できる。
【００４１】
背側胴回り部３０では、上端部から下端部に亘って糸状弾性部材３３が配置されている。一方、腹側胴回り部２０の上端部には、糸状弾性部材２３が配置されておらず、代わりに、左右方向に伸縮する伸縮性シート２４が配置されている。なお、本実施形態では、伸縮性シート２４の下端部と糸状弾性部材２３とが上下方向に重複して配置されているが、重複していなくてもよい。
【００４２】
このように、腹側胴回り部２０の上端部に糸状弾性部材２３を配置せずに伸縮性シート２４を配置することで、腹側胴回り部２０の上端部が面で着用者に密着する。そのため、局所的な締め付けが抑えられ、伸縮部材の跡を残り難くすることができる。特に乳幼児の腹部はぽっこり出ているため、腹側胴回り部２０の締め付けを抑えることが好ましい。
【００４３】
また、おむつ１着用時の胴回り開口部ＢＨの広げやすさについては、胴回り部２０，３０の上端部の伸縮力が大きく影響する。伸縮性シート２４は、自然状態から伸長しやすく、伸長状態から収縮しにくい性質を有する。そのため、腹側胴回り部２０の上端部に伸縮性シート２４を配置することで、おむつ１着用時に胴回り開口部ＢＨを広げやすくなり、また、胴回り部２０，３０を着用者にフィットさせた後の腹部の締め付けを防止できる。
【００４４】
伸縮性シート２４には、例えば、質量が１０〜４０ｇ／ｍ2、より好ましくは、質量が１５〜３０ｇ／ｍ2の弾性繊維から構成されたスパンボンド不織布、エアスルー不織布、ニードルパンチ不織布等、各種公知の製法によって製造された伸縮性の繊維不織布を用いることができる。弾性繊維は、熱可塑性エラストマーやゴムなどを原料とするものであって、特に熱可塑性エラストマーを原料として用いる場合には、通常の熱可塑性樹脂と同様に押出機を用いた溶融紡糸が可能であり、またそのようにして得られた繊維は熱融着させ易く、伸縮性の繊維不織布として好適である。熱可塑性エラストマーとしては、スチレン系エラストマー、オレフィン系エラストマー、ポリエステル系エラストマー、ポリウレタン系エラストマーを挙げることができる。これらは、一種を単独で又は二種以上を組み合わせて用いることができる。伸縮性シートは少なくとも左右方向に弾性を示すものであればよく、二方向以上に弾性を示すものであってもよい。伸縮性シート２４の左右方向の伸長倍率は１．２倍〜３.０倍程度が好ましい。
【００４５】
＝＝＝伸縮性シート２４の積層枚数について＝＝＝
図４は、製造途中の腹側胴回り部２０の断面図である。図５は、製品状態の腹側胴回り部２０の断面図である。図６は、図４に示す腹側胴回り部２０の平面図である。なお、図４及び図５は腹側胴回り部２０の構成を模式的に示した図であり、腹側胴回り部２０の厚さが厚く描かれている。後述の断面図についても同様である。また、図６では糸状弾性部材２３が省略されている。
【００４６】
前述のように、腹側胴回り部２０は、内層シート２１と、外層シート２２と、伸縮性シート２４とを有する。製造途中の状態（図４）において、厚さ方向の非肌側から順に、外層シート２２、内層シート２１、伸縮性シート２４が積層されている。
【００４７】
内層シート２１、外層シート２２、及び、伸縮性シート２４は、それぞれ、図６に示すように、左右方向に沿って延びる一端２１ａ、２２ａ、２４ａ、及び、他端２１ｂ、２２ｂ、２４ｂを有する。製品状態（図５）において、各シートの一端２１ａ、２２ａ、２４ａは他端２１ｂ、２２ｂ、２４ｂよりも上方に位置している。
【００４８】
内層シート２１及び外層シート２２は、間に塗布された不図示の接着剤によって接合されている。内層シート２１及び外層シート２２が本発明の非伸縮性シートに相当する。以下、内層シート２１及び外層シート２２を合わせて非伸縮性シートともいう。
【００４９】
製造途中の状態（図４）において、上下方向における内層シート２１の一端２１ａの位置と伸縮性シート２４の一端２４ａの位置とが揃っている。外層シート２２は、内層シート２１及び伸縮性シート２４よりも上方に延在している。
【００５０】
製品状態（図５）では、外層シート２２は、内層シート２１及び伸縮性シート２４の一端２１ａ，２４ａの位置を折り位置Ｆとして、下方向に折り返されている。折り返された外層シート２２の部位２２１は、吸収性本体１０の長手方向の端部を肌側から覆っている。また、折り返された外層シート２２の部位２２１は、接着剤４２によって、吸収性本体１０に固定されている。
【００５１】
また、非伸縮性シート（内層シート２１及び外層シート２２）と、伸縮性シート２４との間には、ホットメルト接着剤等の接着剤４１が塗布されている。この接着剤４１により、伸縮性シート２４は非伸縮性シート２１，２２に固定されている。図６に示すように、接着剤４１の塗布領域は平面視長方形状の領域である。以下、この接着剤４１の塗布領域を固定部４１ともいう。
【００５２】
なお、接着剤４１の塗布領域に対して、部分的に接着剤４１が塗布されていてもよいし、全域に接着剤４１が塗布されていてもよい。接着剤４１の塗布パターンとしては、ストライプパターン、スパイラルパターン、Ωパターン等の公知のパターンを例示できる。また、接着剤４１の塗布領域の平面形状は長方形状に限定されない。また、固定部は、熱溶着や超音波溶着等により、伸縮性シート２４を非伸縮性シート２１，２２に固定した溶着領域であってもよい。
【００５３】
固定部４１は、図６に示すように、左右方向に沿って延びる一端４１ａ及び他端４１ｂを有する。製品状態（図５）において、固定部４１の一端４１ａは他端４１ｂよりも上方に位置している。
【００５４】
そして、固定部４１は、伸縮性シート２４の一端２４ａを上下方向に跨いで設けられている。具体的には、製造途中の状態（図４）において、固定部４１は、伸縮性シート２４と内層シート２１の間に設けられつつ、伸縮性シート２４の一端２４ａを越えて外層シート２２の肌側面にも設けられている。そのため、製品状態（図５）では、外層シート２２の折り返しに伴って、固定部４１の一部も下方向に折り返されており、固定部４１は伸縮性シート２４の一端２４ａを上方から覆っている。よって、固定部４１は、製品状態（図５）において、伸縮性シート２４の一端２４ａを上下方向に跨いで設けられている。
【００５５】
このように固定部４１が設けられていることで、伸縮性シート２４の一端２４ａの側の部位は、その一端２４ａまで非伸縮性シート２１，２２に固定される。そのため、製造途中に、伸縮性シート２４が有する収縮力によって、伸縮性シート２４の一端２４ａの側の部位がめくれて下方向に折り返されてしまうことを抑制できる。
【００５６】
なお、上下方向において、固定部４１の一端４１ａの位置と、伸縮性シート２４の一端２４ａの位置とが揃っていてもよい。ただし、伸縮性シート２４の一端２４ａを跨ぐように固定部４１を設けることで、伸縮性シート２４の一端２４ａの側の部位のめくれを、より確実に抑制できる。
【００５７】
また、おむつ１の製造方法は、伸縮性シート２４の一端２４ａの側の部位を折り返す工程を有していない。よって、伸縮性シート２４の上端部では、伸縮性シート２４が下方向に折り返されることなく、伸縮性シート２４の積層枚数は１枚となる。
【００５８】
一方、固定部４１は、伸縮性シート２４の他端２４ｂを上下方向に跨いでいない。具体的には、伸縮性シート２４を非伸縮性シート２１，２２に固定する際に（図４）、固定部４１の他端４１ｂは伸縮性シート２４の他端２４ｂよりも上方に位置している。つまり、伸縮性シート２４の他端２４ｂの側の部位に固定部４１が設けられていない。そのため、製造途中に、伸縮性シート２４が有する収縮力によって、伸縮性シート２４の他端２４ｂの側の部位がめくれる。
【００５９】
これは、おむつ１の製造工程において、伸縮性シート２４を非伸縮性シート２１，２２に固定した後の搬送中に、伸縮性シート２４に対する張力の掛かり方に微小な差が生じ、伸縮性シート２４が局所的に収縮することで、めくれると考えられる。また、伸縮性シート２４の伸長方向に交差する幅方向に、伸縮性シート２４を広げて戻した場合にも、めくれると考えられる。
【００６０】
また、伸縮性シート２４の他端２４ｂの側の部位は、吸収性本体１０と重複するか、吸収性本体１０の近傍に位置する。そのため、製品状態（図５）において、伸縮性シート２４の他端２４ｂの側の部位は、めくれて厚さ方向に立ち上がるだけでなく、上方向に折り返されている。詳しくは、伸縮性シート２４の他端２４ｂの側の部位は、固定部４１の下端４１ｂを起点に、上方向に折り返されている。
【００６１】
なお、伸縮性シート２４が折り返されているとは、左右方向に延びる折れ線が形成されるように折り返されていてもよいし、図５に示すように伸縮性シート２４の下端が湾曲するように折り返されていてもよい、すなわちカールしていてもよい。
【００６２】
また、おむつ１の製造方法は、伸縮性シート２４の他端２４ｂの側の部位を折り返す工程を有していない。よって、伸縮性シート２４の下端部では、伸縮性シート２４の積層枚数は２枚となる。
【００６３】
つまり、伸縮性シート２４の下端部では、上端部に比べて、伸縮性シート２４の積層枚数が多くなっている。伸縮性シート２４が折り返されて、積層枚数が多くなるほど、折り返された伸縮性シート２４の分だけ左右方向の伸縮力が増加する。
【００６４】
そのため、伸縮性シート２４の上端部、すなわち胴回り開口部ＢＨ側の端部では、下端部に比べて、左右方向の伸縮力が小さくなっている。換言すると、伸縮性シート２４の上端部では、伸縮性シート２４のめくれが抑えられており、伸縮力が設計通りに適度に抑えられている。よって、おむつ１着用時の胴回り開口部ＢＨの広げやすさを維持でき、また、着用者の腹部に対する締め付けを防止できる。
【００６５】
特に、胴回り開口部ＢＨの広げやすさについては、胴回り部２０，３０の上端部の伸縮力が大きく影響する。そのため、本実施形態のおむつ１のように伸縮性シート２４が腹側胴回り部２０の上端部に設けられている場合には、特に、伸縮性シート２４の上端部の積層枚数を少なくするとよい。そうすることで、胴回り開口部ＢＨをより広げやすくなる。
【００６６】
なお、伸縮性シート２４が腹側胴回り部２０の上端部に設けられているとは、伸縮性シート２４の少なくとも一部が、上下方向における腹側胴回り部２０の中心ＣＬ（図５参照）よりも上方に位置していることとする。より好ましくは、伸縮性シート２４の全てが、腹側胴回り部２０の中心ＣＬよりも上方に位置しているとよい。
【００６７】
一方、伸縮性シート２４の下端部、すなわち股下側の端部では、上端部に比べて、左右方向の伸縮力が大きくなっている。つまり、腹側胴回り部２０のうち吸収性本体１０と重複する部位やその近傍の部位の伸縮力が高められている。よって、吸収性本体１０の位置ずれを抑制できる。具体的には、着用者の動きによる吸収性本体１０の位置ずれや、排泄液を吸収した吸収性本体１０の垂れ下がりを抑制できる。そのため、着用者に対する吸収性本体のフィット性を維持でき、排泄物の漏れを低減できる。また、着用者に違和感を生じさせることがなく、歩行等も行いやすくなる。
【００６８】
また、胴回り部２０，３０の下端部の伸縮力は、上端部の伸縮力ほどに、胴回り開口部ＢＨの広げやすさに影響しない。よって、伸縮性シート２４の下端部の積層枚数が２枚であっても、胴回り開口部ＢＨの広げやすさを維持できる。
【００６９】
また、固定部４１が伸縮性シート２４の他端２４ｂを上下方向に跨いで設けられ、おむつ１の製造方法が伸縮性シート２４の他端２４ｂの側の部位を折り返す工程を有していてもよい。この場合にも、伸縮性シート２４の下端部の積層枚数を上端部に比べて多くできる。ただし、上記のように伸縮性シート２４の収縮力を利用して、伸縮性シート２４の他端２４の側の部位を折り返すことで、おむつ１の製造方法を複雑化することなく、伸縮性シート２４の下端部の伸縮力を高められる。
【００７０】
また、図５の腹側胴回り部２０では、伸縮性シート２４の下端部において伸縮性シート２４が折り返されている部位（以下、折り返し部２４１ともいう）が、吸収性本体１０の上端１０ａよりも上方に位置している。つまり、上下方向において、折り返し部２４１は、吸収性本体１０と重複していない。なお、折り返し部２４１とは、具体的には、固定部４１の他端４１ｂに当接する伸縮性シート２４の部位２４ｃから伸縮性シート２４の他端２４ｂまでの部位である。
【００７１】
この場合、折り返し部２４１は、吸収性本体１０近傍の腹側胴回り部２０の部位を、着用者に密着させることができ、腹側胴回り部２０の位置ずれに起因する吸収性本体１０の位置ずれを抑制できる。よって、着用者に対する吸収性本体１０のフィット性を維持でき、排泄物の漏れを低減できる。また、折り返し部２４１の伸縮力が、剛性の高い吸収性本体１０によって阻害されにくい。よって、吸収性本体１０の位置ずれを抑制できる。
【００７２】
また、パンツ型おむつ１は、左右方向における腹側胴回り部２０の両側端部と背側胴回り部３０の両側端部とが溶着で接合された一対の接合領域２を有する。図６に示すように、伸縮性シート２４は、左右方向において、接合領域２の形成位置よりも外側まで延びて設けられているとよい。そして、伸縮性シート２４の下端部において、伸縮性シート２４の他端２４ｂの側の部位が上方向に折り返されている状態で、接合領域２が形成されていることが好ましい。そうすることで、伸縮性シート２の他端２４ｂの側の部位の折り返しが維持され、おむつ１の着用中に吸収性本体１０の位置ずれを抑制できる。よって、着用者に対する吸収性本体１０のフィット性を維持でき、排泄物の漏れを低減できる。
【００７３】
＝＝＝変形例＝＝＝
図７Ａ及び図７Ｂは、腹側胴回り部２０の変形例の断面図である。図７Ａは、製造途中の腹側胴回り部２０の図であり、図７Ｂは、製品状態の腹側胴回り部２０の図である。図７Ｂの腹側胴回り部２０のように、下方向に折り返される外層シート２２の部位２２１に、伸縮性シート２４が固定部４１により固定されていてもよい。
【００７４】
この場合、製造途中の状態（図７Ａ）では、伸縮性シート２４の下端２４ａが、伸縮性シート２４の一端２４ａとなり、固定部４１は伸縮性シート２４の下端２４ａを越えて下方向に延びている。そうすることで、製品状態（図１０Ｂ）において、伸縮性シート２４の上端部では、伸縮性シート２４のめくれが抑えられ、伸縮性シート２４の積層枚数は１枚となる。
【００７５】
また、製造途中の状態（図７Ａ）では、伸縮性シート２４の上端２４ｂが、伸縮性シート２４の他端２４ｂとなり、伸縮性シート２４の他端２４ｂの側の部位に固定部４１が設けられていない。そうすることで、製品状態（図１０Ｂ）において、伸縮性シート２４の下端部では、伸縮性シート２４が上方向に折り返され、伸縮性シート２４の積層枚数は２枚となる。
【００７６】
図７Ｂの場合にも、伸縮性シート２４の下端部では、上端部に比べて、伸縮性シート２４の積層枚数が多い。よって、胴回り開口部ＢＨの広げやすさを維持しつつ、吸収性本体１０の位置ずれを抑制できる。よって、着用者に対する吸収性本体１０のフィット性を維持でき、排泄物の漏れを低減できる。
【００７７】
また、前述の図５や図７Ｂでは、伸縮性シート２４の上端部の積層枚数が１枚であり下端部の積層枚数が２枚であるが、これらの枚数は特に限定されない。例えば、伸縮性シート２４の上端部の積層枚数が１枚であり下端部の積層枚数が３枚であってもよく、また、伸縮性シート２４の上端部の積層枚数が２枚であり下端部の積層枚数が３枚であってもよい。
【００７８】
また、図示しないが、伸縮性シート２４の一端２４ａの側の部位に固定部４１が設けられておらず、伸縮性シート２４の一端２４ａの側の部位がめくれて、上下方向に折り返されていてもよい。また、おむつ１の製造方法が、伸縮性シート２４の一端２４ａの側の部位を折り返す工程や、伸縮性シート２４の他端２４ｂの側の部位を折り返す工程を有していてもよい。これらの場合にも、伸縮性シート２４の下端部では、上端部に比べて、伸縮性シート２４の積層枚数が多くなっていればよい。
【００７９】
図８から図１１は、腹側胴回り部２０の変形例の断面図であり、伸縮性シート２４の折り返し部２４１の上下方方向の位置を説明する図である。なお、図８Ａ、図９Ａ、図１０Ａ、図１１Ａでは、折り返し部２４１が吸収性本体１０よりも非肌側に位置している。一方、図８Ｂ、図９Ｂ、図１０Ｂ、図１１Ｂでは、折り返し部２４１が吸収性本体１０よりも肌側に位置している。
【００８０】
図８Ａ及び図８Ｂの腹側胴回り部２０では、伸縮性シート２４の折り返し部２４１は、吸収性本体１０の上端１０ａよりも下方に位置し、かつ、吸収性コア１１Ａの上端１１Ａａよりも上方に位置している。つまり、上下方向において、折り返し部２４１は、吸収性本体１０の上端部（トップシート１２、バックシート１３、外装シート１４、コアラップシート１１Ｂ）と重複しているが、吸収性コア１１Ａとは重複していない。
【００８１】
そして、図８Ａの折り返し部２４１は、吸収性本体１０よりも非肌側に位置している。よって、折り返し部２４１は、吸収性本体１０の上端部を、非肌側から着用者に密着させることができ、吸収性本体１０の位置ずれを抑制できる。よって、着用者に対する吸収性本体１０のフィット性を維持でき、排泄物の漏れを低減できる。
【００８２】
一方、図８Ｂの折り返し部２４１は、吸収性本体１０よりも肌側に位置している。この場合にも、折り返し部２４１は、吸収性本体１０の上端部と重複する腹側胴回り部２０の部位を着用者に密着させることができ、吸収性本体１０の位置ずれを抑制できる。また、図８Ｂでは、伸縮性シート２４が、外層シート２２とともに、吸収性本体１０の上端１０ａを肌側から覆う。よって、着用者は吸収性本体１０の上端１０ａ（エッジ）の当たりを感じにくくなり、着用者に異物感を与えにくい。
【００８３】
また、吸収性本体１０のうち吸収性コア１１Ａが存在する領域は、吸収性コア１１Ａが存在しない領域に比べて、剛性が高くなる。そのため、図８Ａ及び図８Ｂの場合、折り返し部２４１の伸縮力が、剛性の高い吸収性コア１１Ａによって阻害されにくい。
【００８４】
図９Ａ及び図９Ｂの腹側胴回り部２０では、伸縮性シート２４の折り返し部２４１は、吸収性本体１０の上端１０ａを上下方向に跨いで設けられている。この場合、吸収性本体１０の上端１０ａ周辺において、資材数を徐々に変化させることができる。
【００８５】
具体的には、上方から下方に向かって、伸縮性シート２４が１層である領域、伸縮性シート２４が２層である領域（折り返し部２４１）、２層である伸縮性シート２４（折り返し部２４１）に吸収性本体１０が積層される領域と、順に資材数を増やすことができる。したがって、吸収性本体１０が存在する領域と存在しない領域との段差や剛性差が軽減され、着用者に異物感を与えにくい。
【００８６】
特に、図９Ｂでは、伸縮性シート２４の折り返し部２４１が、吸収性本体１０の上端１０ａを肌側から覆う。よって、着用者は、図８Ｂの場合よりもさらに、吸収性本体１０の上端１０ａ（エッジ）の当たりを感じにくくなり、着用者に異物感を与えにくい。
【００８７】
図１０Ａ及び図１０Ｂの腹側胴回り部２０では、伸縮性シート２４の折り返し部２４１は、吸収性コア１１Ａの上端１１Ａａよりも下方に位置している。つまり、上下方向において、折り返し部２４１は、吸収性コア１１Ａと重複している。
【００８８】
そして、図１０Ａの折り返し部２４１は、吸収性コア１１Ａよりも非肌側に位置している。そのため、折り返し部２４１は、吸収性コア１１Ａを、非肌側から着用者に密着させることができ、吸収性本体１０の位置ずれを抑制できる。また、吸収性コア１１Ａが排泄液を吸収して重くなるため、吸収性本体１０のうち吸収性コア１１Ａが存在する部位が最も位置ずれしやすい。よって、図１０Ａでは、最も位置ずれしやすい吸収性本体１０の部位を着用者に密着させることができる。よって、着用者に対する吸収性本体１０のフィット性を維持でき、排泄物の漏れを低減できる。
【００８９】
一方、図１０Ｂの折り返し部２４１は、吸収性コア１１Ａよりも肌側に位置している。この場合にも、折り返し部２４１は、最も位置ずれしやすい吸収性本体１０の部位と重複する腹側胴回り部２０の部位を、着用者に密着させることができ、吸収性本体１０の位置ずれを抑制できる。また、図１０Ｂでは、伸縮性シート２４が、吸収性本体１０及び吸収性コア１１の上端１０ａ，１１Ａａを肌側から覆う。よって、着用者は吸収性本体１０及び吸収性コア１１の上端（エッジ）１０ａ，１１Ａａの当たりを感じにくくなり、着用者に異物感を与えにくい。
【００９０】
図１１Ａ及び図１１Ｂの腹側胴回り部２０では、伸縮性シート２４の折り返し部２４１は、吸収性コア１１Ａの上端１１Ａａを上下方向に跨いで設けられている。この場合、吸収性コア１１Ａの上端１１Ａａ周辺において、資材数を徐々に変化させることができる。
【００９１】
具体的には、上方から下方に向かって、吸収性本体１０の上端部と１層の伸縮性シート２４が積層される領域、吸収性本体１０の上端部と２層の伸縮性シート２４（折り返し部２４１）が積層される領域、吸収性本体１０のうち吸収性コア１１Ａが存在する領域と２層の伸縮性シート２４が積層される領域と、順に資材数を増やすことができる。したがって、吸収性コア１１Ａが存在する領域と存在しない領域との段差や剛性差が軽減され、着用者に異物感を与えにくい。
【００９２】
特に、図１１Ｂでは、伸縮性シート２４の折り返し部２４１が、吸収性コア１１の上端１１Ａａを肌側から覆う。よって、着用者は、図１０Ｂの場合よりもさらに、吸収性コア１１Ａの上端（エッジ）１１Ａａの当たりを感じにくくなり、着用者に異物感を与えにくい。
【００９３】
＝＝＝伸縮性シート２４及び固定部４１について＝＝＝
腹側胴回り部２０の製品状態（図５参照）において、外層シート２２の一端２２ａの側の部位は下方向に折り返されている。腹側胴回り部２０の上端２０ａから、下方向に折り返された非伸縮性シートの一端（ここでは外層シート２２の一端２２ａ）までの上下方向の長さを長さＬ１とする。一方、腹側胴回り部２０の上端２０ａから伸縮性シート２４の一端２４ａまでの上下方向の長さはゼロである。この長さ（ゼロ）を前記長さＬ１よりも短くするとよい。
【００９４】
つまり、伸縮性シート２４の一端２４ａを、折り返された外層シート２２の一端２２ａよりも上方に位置させるとよい。そうすることで、伸縮性シート２４が下方に位置し過ぎることがない。よって、腹側胴回り部２０の上端部のフィット性を維持できる。
【００９５】
また、固定部４１は、伸縮性シート２４の両面のうちの一方の面２４Ａ（図４における非肌側面）を非伸縮性シート２１，２２に固定する第１領域４１１と、第１領域４１１以外の第２領域４１２とを有する。固定部４１の第２領域４１２とは、第１領域４１１に連続し、かつ、伸縮性シート２４の一端２４ａを越えて非伸縮性シート（ここでは外層シート２２）に設けられた固定部４１の領域である。
【００９６】
製造途中の状態（図４）において、固定部４１の第１領域４１１は、伸縮性シート２４と内層シート２１の間に位置して露出していない。一方、外層シート２２に設けられた固定部４１の第２領域４１２は肌側に露出している。仮に、製品状態において固定部４１の第２領域４１２が肌側に露出していると、固化した接着剤４１が着用者に当接し、腹側胴回り部２０の着け心地が低下してしまう。また、図示しないが、固定部４１の第２領域４１２が非肌側に露出している場合にも、外からの腹側胴回り部２０の触り心地が低下してしまう。
【００９７】
そのため、固定部４１の第２領域４１２の少なくとも一部は露出していないことが好ましい。より好ましくは、固定部４１の第２領域４１２の全てが露出していないとよい。つまり、固定部４１の第２領域４１２が、おむつ１を構成する資材の間に位置しているとよい。
【００９８】
本実施形態では、固定部４１の第２領域４１２は、下方向に折り返された外層シート２２の部位２２１で肌側から覆われている。換言すると、固定部４１の第２領域４１２は、折り返された外層シート２２の部位２２１と、伸縮性シート２４の間に位置し、露出していない。よって、腹側胴回り部２０の着け心地の低下、及び、触り心地の低下を抑制できる。
【００９９】
なお、腹側胴回り部２０の構成は図５に示すものに限定されない。例えば、外層シート２２と共に内層シート２１も下方向に折り返されている構成や、内層シート２１のみ下方向に折り返されている構成や、内層シート２１及び外層シート２２が下方向に折り返されていない構成等であってもよい。そのため、固定部４１の第２領域４１２を肌側から覆う資材は、外層シート２２に限定されない。例えば、下方向に折り返された内層シート２１や、非伸縮性シート２１，２２以外の別のシート等であってもよい。
【０１００】
また、製品状態（図５）において、固定部４１の一端４１ａの側の部位は下方向に折り返されている。つまり、おむつ１の製造方法が、外層シート２２と共に固定部４１を下方向に折り返す工程を有している。
【０１０１】
そのため、腹側胴回り部２０の上端部において、固定部４１が厚さ方向に積層される。つまり、接着剤４１の層が２層となり、腹側胴回り部２０の上端部の剛性が高められている。よって、おむつ１着用時に腹側胴回り部２０の上端部を把持しやすくなり、おむつ１を引き上げやすくなる。また、梱包時等に腹側胴回り部２０の上端部がめくれて折り癖がついてしまうことを抑制でき、おむつ１の外観の低下を防止できる。
【０１０２】
また、図示しないが、伸縮性シート２４の一端２４ａが、腹側胴回り部２０の上端２０ａよりも下方に位置していてもよい。その場合、固定部４１の一端４１ａの側の部位が下方向に折り返されておらず、かつ、固定部４１の一端４１ａが伸縮性シート２４の一端２４ａよりも上方に位置しているとよい。そうすることで、伸縮性シート２４の一端２４ａの側の部位のめくれを抑えつつ、腹側胴回り部２０の上端部において固定部４１の層が１層となり、腹側胴回り部２０の上端部が柔らかくなる。
【０１０３】
さらに、固定部４１の一端４１ａも、腹側胴回り部２０の上端２０ａよりも下方に位置していてもよい。その場合、腹側胴回り部２０の上端部において、伸縮性シート２４及び固定部４１が位置しない領域が存在する。よって、腹側胴回り部２０の上端部がより柔らかくなる。
【０１０４】
腹側胴回り部２０の上端部が柔らかいと、腹側胴回り部２０の上端（エッジ）２０ａで着用者の肌を刺激してしまうことを防止できる。また、おむつ１の自然状態において、腹側胴回り部２０の上端部はフリル形状になりやすい。よって、おむつ１は柔らかく、着け心地がよいものであるという印象を、ユーザーに持ってもらうことができる。
【０１０５】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。
【０１０６】
例えば、腹側胴回り部２０の上端部に伸縮性シート２４を配置するに限らない。上下方向における腹側胴回り部２０の何れの位置に伸縮性シート２４を配置してもよい。また、背側胴回り部３０（第１胴回り部）が伸縮性シートを有し、腹側胴回り部２０（第２胴回り部）が伸縮性シートを有していなくてもよいし、腹側胴回り部２０と背側胴回り部３０が共に伸縮性シート２４を有していてもよい。
【０１０７】
また、上記の実施形態では、腹側胴回り部２０と背側胴回り部３０が分離されて別部材であるおむつを例示したが、腹側胴回り部２０と背側胴回り部３０の間に股下部が設けられ、腹側胴回り部２０と背側胴回り部３０が連続した一部材であってもよい。
【符号の説明】
【０１０８】
１  おむつ（吸収性物品）、２  接合領域、
１０  吸収性本体、１１  吸収体、
１１Ａ  吸収性コア、１１Ｂ  コアラップシート、
１２  トップシート、１３  バックシート、
１４  外装シート、１５  脚回り弾性部材、
２０  腹側胴回り部（第１胴回り部）、
２１  内層シート（非伸縮性シート）、２２  外層シート（非伸縮性シート）、
２３  糸状弾性部材、２４  伸縮性シート、
３０  背側胴回り部（第２胴回り部）、３１  内層シート、
３２  外層シート、３３  糸状弾性部材、
４１  固定部（接着剤）、４２  接着剤
【図１】
2019118580.tif 000003
【図２】
2019118580.tif 000004
【図３】
2019118580.tif 000005
【図４】
2019118580.tif 000006
【図５】
2019118580.tif 000007
【図６】
2019118580.tif 000008
【図７】
2019118580.tif 000009
【図８】
2019118580.tif 000010
【図９】
2019118580.tif 000011
【図１０】
2019118580.tif 000012
【図１１】
2019118580.tif 000013